(57)【特許請求の範囲】
【請求項１】
前面の両側上部から下部までゴム紐を挿通した本体布部（２）、前記本体布部（２）の上部で腰部を巻回し固定するゴム紐を挿通した腰紐部（３）、及び前面の下端部から前記腰紐部（３）に連結している股帯部（５）を有し、股帯部（５）が腰紐部（３）に連結され、パンツの背面において、腰紐部（３）が捩じれ構造（７ａ）を、股帯部（５）が捩じれ構造（７ｂ）を有する締め込みパンツ。
【請求項２】
本体布部（２）が下方中心部にダーツ（６）を備えている請求項１に記載の締め込みパンツ。
【請求項３】
前記腰紐部（３）の捩じれ構造（７ａ）が、ゴム紐を通す管状の布材を１〜２回転捩じった状態で形成される請求項１に記載の締め込みパンツ。
【請求項４】
前記股帯部（５）の捩じれ構造（７ｂ）が、２本の帯部材を絡ませて本体布の下端部から腰紐部（３）に連結して形成される請求項１に記載の締め込みパンツ。
【請求項５】
本体布部（２）、腰紐部（３）及び股帯部（５）が、綿、ウール、ポリエステル、ナイロン、アクリル及びポリウレタンから選択される繊維の１種または２種以上を組み合せてなるスポーツウエア素材用生地からなる請求項１〜４のいずれかに記載の締め込みパンツ。
【発明の詳細な説明】
【技術分野】
【０００１】
本発明は神輿かつぎに参加する際に担ぎ手（特に男子）が下穿きとして着用する締め込みパンツに関する。さらに詳しく言えば、スポーツウエア素材用生地からなり、着用時に締め込み（ふんどし）様のフィット感及び外観を有する締め込みパンツに関する。
【背景技術】
【０００２】
近年、日本の庶民伝統文化である神輿に関心が高まり、若者の参加率も増加傾向にある。特に東日本大震災以来、人と人とのつながりが見直され、絆を求める参加者の増加が著しい。神輿の担ぎ手が着用する祭事用の下穿きとしては、これまで、締め込み（ふんどし）が使用されている。
【０００３】
ふんどし（褌）は、日本の伝統的な下着であり、概ね帯状の布を身体に巻き付けて身体後部で完結するものと、紐を輪状として用いて完結するものに大別されている。ふんどし（褌）には、六尺褌、越中褌、畚（もっこ）褌、割褌、黒猫褌、廻し、締め込み、晒一反、九尺褌、六越褌等々がある。これらの中で、旧来の形で残っているものは、相撲の廻し、祭事用の締め込みが主である。また、近年、通気性がよい、適度な締付け感がなどの理由から普段着用の下着としての六越褌が商品化されている。
【０００４】
現在使用されている祭事用の締め込みには以下の問題がある。
１）例えば、六尺ふんどしの着用は参考図（連続写真；図２）に示すように概ね下記のように行われる。すなわち、六尺ふんどしの縫い目の折り返しが無い真ん中あたりが股間の位置にくる様にあてがう(1)。ふんどしの片方を肩に掛け、もう片方を股の間にくぐらせる(2)。股の間を通したふんどしをよじりながら腰にまわす(3)。まわしたふんどしを写真の様に絡める(4)。絡めたふんどしを写真のように巻き込む(5)。肩に掛けたふんどしを前にたらし、股の間をくぐらせる(6)。くぐらせたふんどしを写真のようによじる(7)。(4)で絡めた部分から(5) で巻き込んだ逆の方に巻き込む(8)。巻き込んだふんどしの端を背後の適当な位置で固定する(9)。このように着用操作は煩雑であり慣れないとうまくできない。
２）神輿の担ぎ時のような激しい動きがあると緩んでくる。
３）排尿を繰り返すと緩んでくる。
４）排便の際には外さなくてはいけない。
５）緩んでくると陰部が見えて、他者に不快感を与える。
６）新しい生地の締め込みでは股関節部分がすれて擦過傷を起こすことがある。
７）日本男児の下着としての締め込み（褌）の文化は消えつつある。
【０００５】
上記ふんどしの問題点を意識した下着として、ふんどし型パンツ（実用新案登録第３１４２３０９号公報：特許文献１）、ふんどしパンツ（実用新案登録第３１６３６５７号公報：特許文献２）、フンドシパンツ（特開２００８−６３７０９号公報；特許文献３）が提案されているが、いずれも上記した祭事用の締め込みの問題点を解決したものではない。
【先行技術文献】
【特許文献】
【０００６】
【特許文献１】実用新案登録第３１４２３０９号公報
【特許文献２】実用新案登録第３１６３６５７号公報
【特許文献３】特開２００８−６３７０９号公報
【発明の概要】
【発明が解決しようとする課題】
【０００７】
本発明の目的は、締め込みの利点を保持しつつ、上記の問題点が解消された下穿き（締め込みパンツ）を提供することにある。
【課題を解決するための手段】
【０００８】
本発明は、以下の［１］〜［７］の締め込みパンツを提供する。
［１］  前面の両側上部から下部までゴム紐を挿通した本体布部（２）、前記本体布部（２）の上部で腰部を巻回し固定するゴム紐を挿通した腰紐部（３）、前面の下端部から前記腰紐部（３）に連結している股帯部（５）を有する締め込みパンツ。
［２］  前面の本体布部（２）の下方中心部にダーツ（６）を備えている前項１に記載の締め込みパンツ。
［３］  前記腰紐部（３）が、パンツ（１）の背面において捩じれ構造（７ａ）を有する前項１または２に記載の締め込みパンツ。
［４］  前記股帯部（５）が、パンツ（１）の背面において捩じれ構造（７ｂ）を有する前項１〜３のいずれかに記載の締め込みパンツ。
［５］  前記ねじれ構造（７ａ）が、ゴム紐を通す管状の布材を１〜２回転捩じった状態で形成される前項３に記載の締め込みパンツ。
［６］前記ねじれ構造（７ｂ）が、２本の帯部材を絡ませて本体布の下端部から腰紐部（３）に連結して形成される前項４に記載の締め込みパンツ。
［７］  本体布部（２）、腰紐部（３）及び股帯部（５）がスポーツウエア素材用生地からなる前項１〜６のいずれかに記載の締め込みパンツ。
【発明の効果】
【０００９】
本発明の締め込みパンツは、通常の下着と同様に簡単に着脱ができ、着用時に締め込み（褌）のフィット感及び外観を有し、祭りの神輿に欠かせない、粋やいなせ感がある。
【図面の簡単な説明】
【００１０】
【図１】本発明の締め込みパンツの一実施例を示し、（Ａ）は正面図、（Ｂ）は背面図、（Ｃ）は側面図である。
【図２】締め込みの締め方を示す写真である。
【図３】本発明の締め込みパンツを着用した写真（正面（Ａ）及び背面（Ｂ））、及び従来の締め込みを着用した写真（正面（Ｃ）及び背面（Ｄ））である。
【発明を実施するための形態】
【００１１】
以下に、本発明の神輿用バッグについて添付図面を参照して説明する。
図１は本発明の締め込みパンツの一例であり、（Ａ）は正面図、（Ｂ）は背面図、（Ｃ）は側面図である。
本発明の締め込みパンツ（１）は、前面の本体布部（２）と、本体布部（２）の上部で腰部を巻回し固定する腰紐部（３）と本体布部（２）の下端部から腰紐部（３）に連結する股帯部（５）からなる。
【００１２】
締め込みパンツの材料としては、伸縮性、吸水性などの特性を有するスポーツウエア用繊維素材からなる生地を使用する。スポーツウエア用繊維は特に限定されない。天然繊維系の綿、ウール等、及びポリエステル、ナイロン、アクリル、ポリウレタン等の合成繊維系の繊維を組み合わせて，吸汗速乾性、透湿防水性、ストレッチ性などの機能を備えた市販の素材を利用することができる。
【００１３】
締め込みパンツ（１）の前面を構成する本体布部（２）の両側部には、着用時に股関節部に密接するよう上部から下部までゴム紐（図示せず）が縫い込まれている。また、本体布部（２）の上部には腰紐部（３）が設けられ、腰部にパンツを保持するゴム紐（図示せず）がこの腰紐部（３）に縫い込まれている。さらに、締め込みパンツ（１）前面下端部と前記腰紐部（３）との間には股帯部（５）が連結されている。
前面の本体布部（２）の下方中心部には、ダーツ（ひだ）（６）を設けることが好ましい。
【００１４】
祭事（祭りの神輿）にかかせない粋やいなせ感の観点から、ふんどしパンツの腰紐部（３）及び股帯部（５）にはパンツ（１）の背面の位置において捩じれ構造（７ａ,７ｂ）を設けることが好ましい。
【００１５】
ねじれ構造を設ける方法は特に限定されない。腰紐部（３）については、例えば、ゴム紐を通す管状の布材を１〜２回転捩じった状態で本体布上部の前面両側端の間に設ける方法がある。また、股帯部（５）については、例えば、パンツ前面の本体布の下端部から腰紐部（３）に連結する股帯部として２本の帯部材を絡ませた状態で腰紐部（３）に連結する方法がある。
【００１６】
本発明の締め込みパンツは、(1)簡単に着脱ができる。(2) スポーツウエア素材用生地を用いているので伸縮性があり、激しい動きにもフィットして緩むことがない。(3)股関節に当る部分にゴムを入れているため排尿が容易にでき、緩むことがない。(4)腰部分にゴムが入っているので排便行動も通常の下着と同様に行える。(5)スポーツウエア素材を用いているので通気性があり、速乾、消臭、抗菌効果が得られる。(6)図３に本発明の締め込みパンツを着用した写真（正面（Ａ）及び背面（Ｂ））及び従来の締め込みを着用した写真（正面（Ｃ）及び背面（Ｄ））を示すとおり、見た目は本来の祭事用の締め込みと殆ど変わらず違和感がない。(7)祭りの神輿に欠かせない、粋、いなせ感を損なうことがない。(8)適度な締付け感と通気性の良さがあり、通常の下着としても使用できる。
【産業上の利用可能性】
【００１７】
本発明の締め込みパンツは、着用時に締め込みのフィット感及び外観を有し、祭りの神輿に欠かせない、粋、いなせ感があるため、祭事用のふんどし（褌）に代わるものとして利用できる。
【符号の説明】
【００１８】
１  締め込みパンツ
２  本体布部
３  腰紐部
５  股帯部
６  ダーツ（ひだ）
７ａ，７ｂ  捩じれ構造
【図１】
0006539804.tif 000002
【図２】
0006539804.tif 000003
【図３】
0006539804.tif 000004